【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
連続的なウエストバンドの流れを製造するシステムであって、
（ａ）第１の溶融済みの組み合わせを形成するべく、連続的な第１の基材上の連続的な可融性基材により形成された組み合わせを第１の温度で溶融する第１の溶融プレス器と、
（ｂ）前記第１の溶融プレス器から前記第１の溶融済みの組み合わせを取り出して折り曲げられた溶融済みの組み合わせを形成するように配置された少なくとも１つの折り曲げ器と、
（ｃ）前記少なくとも１つの折り曲げ器から前記折り曲げられた溶融済みの組み合わせを取り出し、前記連続的なウエストバンドの流れを形成するための第２の温度で、前記折り曲げられた溶融済みの組み合わせをプレスして前記連続的なウエストバンドの流れを形成するように配置された第２の溶融プレス器とを備え、
前記連続的なウエストバンドの流れは、複数の個々のウエストバンドを含み、
前記第２の温度は前記第１の温度より低い、システム。
【請求項２】
前記少なくとも１つの折り曲げ器は、３重の折り曲げ器を含む、請求項１に記載のシステム。
【請求項３】
前記可融性基材は、前記第１の基材の中心軸に実質的に沿って配置され、前記第１の溶融プレス器に入力される前記組み合わせを形成する、請求項１または２に記載のシステム。
【請求項４】
前記第１の溶融プレス器は、第１の複数の加熱条件下で前記組み合わせを溶融させる、請求項１〜３のいずれか一項に記載のシステム。
【請求項５】
前記第２の溶融プレス器は、前記第１の複数の加熱条件とは異なる第２の複数の加熱条件下で前記折り曲げられた溶融済みの組み合わせをプレスする、請求項４に記載のシステム。
【請求項６】
前記少なくとも１つの折り曲げ器は、プレスされた前記第１の溶融済みの組み合わせに３つの折り目を形成する、請求項１〜５のいずれか一項に記載のシステム。
【請求項７】
前記３つの折り目は、
第１の側の折り目と、
第２の側の折り目と、
中央部の折り目とを含む、請求項６に記載のシステム。
【請求項８】
前記３つの折り目は、前記連続的な可融性基材のうち少なくともいくらかに、前記連続的な第１の基材の第１の部分を折り曲げることにより形成された第１の側の折り目を含む、請求項７に記載のシステム。
【請求項９】
前記３つの折り目は、前記連続的な可融性基材のうち少なくともいくらかに、前記連続的な第１の基材の第２の部分を折り曲げることにより形成された第２の側の折り目も含む、請求項８に記載のシステム。
【請求項１０】
前記３つの折り目は、前記第１の側の折り目および前記第２の側の折り目を作製した後、プレスされた前記第１の溶融済みの組み合わせを折り曲げることにより形成された中間の折り目も含む、請求項９に記載のシステム。
【請求項１１】
複数の前記折り目は、同時に形成される、請求項６〜１０のいずれか一項に記載のシステム。
【請求項１２】
前記第１の基材は、デニム、綿、綿混紡、ウール、ウール混紡、ポリエステル、ポリエステル混紡、スパンデックス、スパンデックス混紡、ポリエステルビスコース、リネンおよびリネン混紡を含む群から選択される第１の材料を含む、請求項１〜１１のいずれか一項に記載のシステム。
【請求項１３】
前記可融性基材は、８４ｍｍの可融性基材、４５ｍｍの可融性基材、４７ｍｍの可融性基材および８０ｍｍの可融性基材を含む群から選択される第２の材料を含む、請求項１〜１２のいずれか一項に記載のシステム。
【請求項１４】
ウエストバンドの製造方法であって、
（Ａ）連続的な第１の基材上の連続的な可融性基材がある組み合わせを第１の溶融プレス器に送る段階と、
（Ｂ）前記第１の溶融プレス器が前記連続的な第１の基材上の前記連続的な可融性基材がある前記組み合わせを第１の温度で溶融することにより第１の溶融済みの組み合わせを形成する段階と、
（Ｃ）前記第１の溶融プレス器から前記第１の溶融済みの組み合わせを取り出すよう配置された少なくとも１つの折り曲げ器を用いて前記第１の溶融済みの組み合わせから、折り曲げられた溶融済みの組み合わせを形成する段階と、
（Ｄ）前記少なくとも１つの折り曲げ器から前記折り曲げられた溶融済みの組み合わせを取り出すよう配置された第２の溶融プレス器を用いて前記折り曲げられた溶融済みの組み合わせを第２の温度でプレスして連続的なウエストバンドの流れを形成する段階であって、前記第２の温度は前記第１の温度より低く、前記連続的なウエストバンドの流れは複数の個々のウエストバンドを含む段階と、
（Ｅ）前記連続的なウエストバンドの流れを裁断して前記ウエストバンドを取得する段階と
を備える方法。
【請求項１５】
連続的なウエストバンドの流れの製造方法であって、
（Ａ）連続的な第１の基材上の連続的な可融性基材がある組み合わせを第１の溶融プレス器に送る段階と、
（Ｂ）前記第１の溶融プレス器が前記連続的な第１の基材上の前記連続的な可融性基材がある前記組み合わせを第１の温度で溶融することにより第１の溶融済みの組み合わせを形成する段階と、
（Ｃ）前記第１の溶融プレス器から前記第１の溶融済みの組み合わせを取り出すよう配置された少なくとも１つの折り曲げ器を用いて前記第１の溶融済みの組み合わせから、折り曲げられた溶融済みの組み合わせを形成する段階と、
（Ｄ）前記少なくとも１つの折り曲げ器から前記折り曲げられた溶融済みの組み合わせを取り出すよう配置された第２の溶融プレス器を用いて前記折り曲げられた溶融済みの組み合わせを第２の温度でプレスして連続的なウエストバンドの流れを形成する段階であって、前記第２の温度は前記第１の温度より低く、前記連続的なウエストバンドの流れは複数の個々のウエストバンドを含む段階と、
を備える方法。
【請求項１６】
連続的なウエストバンドの流れのスプールの製造方法であって、
（Ａ）連続的な第１の基材上の連続的な可融性基材がある組み合わせを第１の溶融プレス器に送る段階と、
（Ｂ）前記第１の溶融プレス器が前記連続的な第１の基材上の前記連続的な可融性基材がある前記組み合わせを第１の温度で溶融することにより第１の溶融済みの組み合わせを形成する段階と、
（Ｃ）前記第１の溶融プレス器から前記第１の溶融済みの組み合わせを取り出すよう配置された少なくとも１つの折り曲げ器を用いて前記第１の溶融済みの組み合わせから、折り曲げられた溶融済みの組み合わせを形成する段階と、
（Ｄ）前記少なくとも１つの折り曲げ器から前記折り曲げられた溶融済みの組み合わせを取り出すよう配置された第２の溶融プレス器を用いて前記折り曲げられた溶融済みの組み合わせを第２の温度でプレスして連続的なウエストバンドの流れを形成する段階であって、前記第２の温度は前記第１の温度より低く、前記連続的なウエストバンドの流れは複数の個々のウエストバンドを含む段階と、
（Ｅ）スプール巻き器を用いて前記連続的なウエストバンドの流れをスプール巻きする段階と
を備える方法。
【請求項１７】
連続的な襟腰の流れのスプールの製造方法であって、
（Ａ）連続的な第１の基材上の連続的な可融性基材がある組み合わせを第１の溶融プレス器に送る段階と、
（Ｂ）前記第１の溶融プレス器が前記連続的な第１の基材上の前記連続的な可融性基材がある前記組み合わせを第１の温度で溶融することにより第１の溶融済みの組み合わせを形成する段階と、
（Ｃ）前記第１の溶融プレス器から前記第１の溶融済みの組み合わせを取り出すよう配置された少なくとも１つの折り曲げ器を用いて前記第１の溶融済みの組み合わせから、折り曲げられた溶融済みの組み合わせを形成する段階と、
（Ｄ）前記少なくとも１つの折り曲げ器から前記折り曲げられた溶融済みの組み合わせを取り出すよう配置された第２の溶融プレス器を用いて前記折り曲げられた溶融済みの組み合わせを第２の温度でプレスして連続的な襟腰の流れを形成する段階であって、前記第２の温度は前記第１の温度より低く、前記連続的な襟腰の流れは複数の個々の襟腰を含む段階と、
（Ｅ）スプール巻き器を用いて前記連続的な襟腰の流れをスプール巻きする段階と
を備える方法。
【請求項１８】
前記少なくとも１つの折り曲げ器は、３重の折り曲げ器を含む、請求項１４から１７のいずれか一項に記載の方法。
【請求項１９】
前記連続的な可融性基材は、前記連続的な第１の基材の中心軸に実質的に沿って配置され、前記第１の溶融プレス器に入力される前記組み合わせを形成する、請求項１４から１８のいずれか一項に記載の方法。
【請求項２０】
前記少なくとも１つの折り曲げ器は、前記第１の溶融済みの組み合わせに３つの折り目を形成する、請求項１４から１９のいずれか一項に記載の方法。
【請求項２１】
前記３つの折り目は、第１の側の折り目と、第２の側の折り目と、中央部の折り目とを含む、請求項２０に記載の方法。
【請求項２２】
前記３つの折り目は、前記連続的な可融性基材のうち少なくともいくらかにわたって、前記連続的な第１の基材の第１の部分を折り曲げることにより形成される第１の側の折り目を含む、請求項２１に記載の方法。
【請求項２３】
前記３つの折り目は、前記連続的な可融性基材のうち少なくともいくらかにわたって、前記連続的な第１の基材の第２の部分を折り曲げることにより形成される第２の側の折り目も含む、請求項２２に記載の方法。
【請求項２４】
前記３つの折り目は、前記第１の側の折り目および前記第２の側の折り目を作製した後、プレスされた前記第１の溶融済みの組み合わせを折り曲げることにより形成される中間の折り目も含む、請求項２３に記載の方法。
【請求項２５】
複数の前記折り目は同時に形成される、請求項２０から２４のいずれか一項に記載の方法。
【請求項２６】
前記第１の基材は、デニム、綿、綿混紡、ウール、ウール混紡、ポリエステル、ポリエステル混紡、スパンデックス、スパンデックス混紡、ポリエステルビスコース、リネンおよびリネン混紡を含む群から選択される第１の材料を含む、請求項１４から２５のいずれか一項に記載の方法。
【請求項２７】
前記可融性基材は、８４ｍｍの可融性基材、４５ｍｍの可融性基材、４７ｍｍの可融性基材および８０ｍｍの可融性基材を含む群から選択される第２の材料を含む、請求項１４から２６のいずれか一項に記載の方法。